(57)【要約】【課題】送風機の選定の自由度を確保しつつ、湿度の調整機能を適切に発揮させることが可能な調湿装置を提供する。【解決手段】調湿装置を構成する空気調和装置１０は、吸着器２０と、送風機１４と、脱離モードと吸着モードとを切り替えるために吸着器２０を回転変位させる吸着器変位機構４０と、を備える。吸着器変位機構４０は、送風機１４における空気の吸込方向および空気の吹出方向が維持された状態で、吸着器２０を回転変位させることで、吸着器２０における空気の通風方向を逆転させるように構成されている。【選択図】図１
2019066153.tif 000002
【特許請求の範囲】
【請求項１】
吸着材（２２）が有する水分の吸着作用および脱離作用を利用して調湿対象空間の湿度を調整する調湿装置であって、
前記吸着材を含んで構成される吸着器（２０）と、
空気を前記吸着器に供給するための送風機（１４）と、
前記吸着材に吸着された水分を脱離させて空気を加湿する脱離モードと前記吸着材に水分を吸着させて空気を除湿する吸着モードとを切り替えるモード切替部（３０、４０）と、を備え、
前記吸着器は、空気が流入または流出する一対の通風面（２０１、２０２）を有しており、
前記モード切替部は、前記送風機における空気の吸込方向および空気の吹出方向が維持された状態で、前記一対の通風面のうち前記吸着モード時に空気の流入面となる一方の通風面が前記脱離モード時に空気の流出面となり、前記吸着モード時に空気の流出面となる他方の通風面が前記脱離モード時に空気の流入面となるように、前記吸着器における空気の通風方向を逆転させる調湿装置。
【請求項２】
前記送風機および前記吸着器が収容されるとともに、前記吸着器の内部の通風路（２００）に連通する空気通路（１２０）が形成されたケーシング（１２）を備え、
前記モード切替部は、前記一対の通風面の位置が変化するように前記吸着器を変位させる吸着器変位機構（４０）で構成されており、
前記吸着器変位機構は、
前記吸着モード時に前記一方の通風面が前記他方の通風面よりも空気流れ上流側となる位置に前記吸着器を変位させ、
前記脱離モード時に前記一方の通風面が前記他方の通風面よりも空気流れ下流側となる位置に前記吸着器を変位させる請求項１に記載の調湿装置。
【請求項３】
前記空気通路は、冷風を前記吸着器に導入する冷風導入通路（１２６ａ）、温風を前記吸着器に導入する温風導入通路（１２７ａ）、前記吸着器から加湿された空気を導出する加湿風導出通路（１２８ａ）、前記吸着器から除湿された空気を導出する除湿風導出通路（１２９ａ）を含んでおり、
前記吸着器は、前記通風路を形成するための側面壁部（２１）を有しており、
前記吸着器変位機構は、
前記吸着モード時に、前記通風路を介して前記冷風導入通路と前記除湿風導出通路とが連通する位置であって、前記側面壁部によって前記温風導入通路と前記加湿風導出通路との連通が遮断される位置に前記吸着器を変位させ、
前記脱離モード時に、前記通風路を介して前記温風導入通路と前記加湿風導出通路とが連通する位置であって、前記側面壁部によって前記冷風導入通路と前記除湿風導出通路との連通が遮断される位置に前記吸着器を変位させる請求項２に記載の調湿装置。
【請求項４】
前記送風機および前記吸着器が収容されるとともに、前記吸着器の内部の通風路（２００）に連通する空気通路（１２０）が形成されたケーシング（１２）を備え、
前記モード切替部は、前記空気通路を流れる空気の通風経路を切り替える経路切替機構（３０）で構成されており、
前記経路切替機構は、
前記吸着モード時に前記空気通路を流れる空気が前記一方の通風面から前記吸着器に流入して前記他方の通風面から流出する通風経路に切り替え、
前記脱離モード時に前記空気通路を流れる空気が前記他方の通風面から前記吸着器に流入して前記一方の通風面から流出する通風経路に切り替える請求項１に記載の調湿装置。
【請求項５】
前記空気通路を流れる空気を冷却する冷却器（１６）と、
前記空気通路を流れる空気を加熱する加熱器（１８）と、を備え、
前記経路切替機構は、
前記吸着モード時に、前記冷却器、前記吸着器、前記加熱器の順に空気が流れる通風経路に切り替え、
前記脱離モード時に、前記加熱器、前記吸着器、前記冷却器の順に空気が流れる通風経路に切り替える請求項４に記載の調湿装置。
【請求項６】
吸着材（２２）が有する水分の吸着作用および脱離作用を利用して調湿対象空間の湿度を調整する調湿装置であって、
前記吸着材を含んで構成される吸着器（２０）と、
空気を前記吸着器に供給するための送風機（１４）と、
前記送風機および前記吸着器が収容されるとともに、前記吸着器の内部の通風路（２００）に連通する空気通路（１２０）が形成されたケーシング（１２）と、
前記吸着器を変位させる吸着器変位機構（４０）と、を備え、
前記空気通路の一部は、冷風を流通させる冷風通路（１２５ｂ）および温風を流通させる温風通路（１２５ｃ）に仕切られており、
前記吸着器は、空気が流入または流出する一対の通風面（２０１、２０２）を有し、前記一対の通風面が前記冷風通路および前記温風通路の双方に跨るように配置されており、
前記吸着器変位機構は、前記一対の通風面のうち一方の通風面から流入した前記冷風および前記温風が他方の通風面から流出する位置と、前記他方の通風面から流入した前記冷風および前記温風が前記一方の通風面から流出する位置とに前記吸着器を変位させる構成になっている調湿装置。
【請求項７】
前記空気通路の一部を前記冷風通路および前記温風通路に仕切る一対の隔壁部（２４１、２４２）を備え、
前記一対の隔壁部は、一方の隔壁部（２４１）が前記一方の通風面側に設けられ、他方の隔壁部（２４２）が前記他方の通風面側に設けられており、
前記一方の通風面は、前記一方の隔壁部によって第１通風部（２０１Ａ）および第２通風部（２０１Ｂ）に区分されており、
前記他方の通風面は、前記他方の隔壁部によって第３通風部（２０２Ａ）および第４通風部（２０２Ｂ）に区分されており、
前記吸着器変位機構は、前記第１通風部から流入した前記冷風が前記第３通風部から流出し、前記第２通風部から流入した前記温風が前記第４通風部から流出する位置と、前記第４通風部から流入した前記冷風が前記第２通風部から流出し、前記第３通風部から流入した前記温風が前記第１通風部から流出する位置とに前記吸着器を変位させる構成になっている請求項６に記載の調湿装置。
【請求項８】
吸着材（２２）が有する水分の吸着作用および脱離作用を利用して調湿対象空間の湿度を調整する調湿装置であって、
前記吸着材を含んで構成される吸着器（２０）と、
空気を前記吸着器に供給するための送風機（１４）と、
前記送風機および前記吸着器が収容されるとともに、前記吸着器の内部の通風路に連通する空気通路（１２０）が形成されたケーシング（１２）と、
前記空気通路の一部は、冷風を流通させる冷風通路（１２５ｂ）および温風を流通させる温風通路（１２５ｃ）に仕切られており、
前記吸着器は、
空気が流入または流出する一対の通風面（２０１、２０２）を有し、
前記一対の通風面のうち一方の通風面の一部が前記冷風の流入面となるとともに前記一方の通風面の残りが前記温風の流出面となり、前記一対の通風面のうち他方の通風面の一部が前記冷風の流出面となるとともに前記他方の通風面の残りが前記温風の流入面となるように、前記一対の通風面が前記冷風通路および前記温風通路の双方に跨って配置されている調湿装置。
【請求項９】
前記吸着材を移動させる駆動機構（５０）を備え、
前記駆動機構は、前記冷風通路側に位置する前記吸着材の少なくとも一部を前記温風通路側に移動させるとともに、前記温風通路側に位置する前記吸着材の少なくとも一部を前記冷風通路側に移動させる構成になっている請求項８に記載の調湿装置。
【請求項１０】
前記送風機は、空気の吸込方向および空気の吹出方向が所定の方向に固定された構造になっている請求項１ないし９のいずれか１つに記載の調湿装置。
【発明の詳細な説明】
【技術分野】
【０００１】
本開示は、吸着材が有する水分の吸着作用および脱離作用を利用して調湿対象空間の湿度を調整する調湿装置に関する。
【背景技術】
【０００２】
従来、吸着材を有する吸着器に冷風を導入して冷風に含まれる水分を吸着材に吸着させる吸着モード、および吸着器に温風を導入して吸着材に吸着された水分を脱離させる脱離モードを交互に行う加湿装置が知られている（例えば、特許文献１参照）。特許文献１に開示された加湿装置は、吸着モードと脱離モードとで送風機における空気の吸込方向および吹出方向を逆転させることで、吸着器の内部における通風方向を逆転させる構成になっている。
【先行技術文献】
【特許文献】
【０００３】
【特許文献１】特開２０１６−４４９６３号公報
【発明の概要】
【発明が解決しようとする課題】
【０００４】
本発明者らは、加湿装置等の調湿装置の開発にあたり、調湿装置を作動させた際の吸着器内における水分の分布について検討した。この結果、吸着モード時に吸着材に吸着させた水分は、吸着器の内部に一様に分布するわけではなく、吸着器における一対の通風面のうち空気の流入面側に偏り易い傾向があることが判った。
【０００５】
ここで、吸着モードと脱離モードとで吸着器内部における空気の通風方向が同じ方向になっている構成では、吸着モード時に吸着器における一方の通風面側に水分が偏在することになる。この状態で、脱離モード時に一方の通風面側から水分を脱離させるための空気が導入されると、一方の通風面側の吸着材から脱離した水分が他方の通風面側の吸着材に吸着されてしまうことで、調湿装置における加湿機能が適切に発揮されなくなってしまう。
【０００６】
これに対して、送風機として空気の吸込方向および吹出方向を逆転可能な構成を採用し、吸着器の内部における空気の通風方向を逆転させる構成とすることが考えられるが、この場合、送風機の選定の自由度が著しく制限されてしまう。
【０００７】
本開示は、送風機の選定の自由度を確保しつつ、湿度の調整機能を適切に発揮させることが可能な調湿装置を提供することを目的とする。
【課題を解決するための手段】
【０００８】
本開示は、吸着材（２２）が有する水分の吸着作用および脱離作用を利用して調湿対象空間の湿度を調整する調湿装置を対象としている。
【０００９】
上記目的を達成するため、請求項１に記載の発明は、
吸着材を含んで構成される吸着器（２０）と、
空気を吸着器に供給するための送風機（１４）と、
吸着材に吸着された水分を脱離させて空気を加湿する脱離モードと吸着材に水分を吸着させて空気を除湿する吸着モードとを切り替えるモード切替部（３０、４０）と、を備え、
吸着器は、空気が流入または流出する一対の通風面（２０１、２０２）を有しており、
モード切替部は、送風機における空気の吸込方向および空気の吹出方向が維持された状態で、一対の通風面のうち吸着モード時に空気の流入面となる一方の通風面が脱離モード時に空気の流出面となり、吸着モード時に空気の流出面となる他方の通風面が脱離モード時に空気の流入面となるように、吸着器における空気の通風方向を逆転させる。
【００１０】
これによると、吸着モード時に吸着器における一方の通風面側に水分が偏在しても、当該一方の通風面側に偏った水分を脱離モード時に一方の通風面から流出する空気が受け取ることになるので、水分を受け取った空気が再び吸着材に吸着され難くなる。この結果、調湿装置における加湿機能を適切に発揮させることができる。
【００１１】
特に、モード切替部によって吸着器における空気の通風方向を逆転させる構成では、空気の吸込方向および空気の吹出方向を逆転可能な送風機を採用する必要性がないので、送風機の選定の自由度を確保することができる。
【００１２】
また、請求項６に記載の発明は、
吸着材を含んで構成される吸着器（２０）と、
空気を吸着器に供給するための送風機（１４）と、
送風機および吸着器が収容されるとともに、吸着器の内部の通風路（２００）に連通する空気通路（１２０）が形成されたケーシング（１２）と、
吸着器を変位させる吸着器変位機構（４０）と、を備え、
空気通路の一部は、冷風を流通させる冷風通路（１２５ｂ）および温風を流通させる温風通路（１２５ｃ）に仕切られており、
吸着器は、空気が流入または流出する一対の通風面（２０１、２０２）を有し、一対の通風面が冷風通路および温風通路の双方に跨るように配置されており、
吸着器変位機構は、一対の通風面のうち一方の通風面から流入した冷風および温風が他方の通風面から流出する位置と、他方の通風面から流入した冷風および温風が一方の通風面から流出する位置とに吸着器を変位させる構成になっている。
【００１３】
これによると、送風機における空気の吸込方向および空気の吹出方向を逆転させることなく、吸着器の通風路における冷風および温風の通風方向を逆転させることができる。このため、吸着器における一方の通風面側に水分が偏在したとしても、当該一方の通風面を空気の流出面に切り替えることで、調湿装置における加湿機能を適切に発揮させることができる。
【００１４】
加えて、吸着器が冷風通路および温風通路の双方に跨るように配置されているので、吸着材における水分の吸着作用および脱離作用によって、除湿風および加湿風を同時に生成することが可能となる。
【００１５】
また、請求項８に記載の発明は、
吸着材を含んで構成される吸着器（２０）と、
空気を吸着器に供給するための送風機（１４）と、
送風機および吸着器が収容されるとともに、吸着器内部の通風路に連通する空気通路（１２０）が形成されたケーシング（１２）と、
空気通路の一部は、冷風を流通させる冷風通路（１２５ｂ）および温風を流通させる温風通路（１２５ｃ）に仕切られており、
吸着器は、
空気が流入または流出する一対の通風面（２０１、２０２）を有し、
一対の通風面のうち一方の通風面の一部が冷風の流入面となるとともに一方の通風面の残りが温風の流出面となり、一対の通風面のうち他方の通風面の一部が冷風の流出面となるとともに他方の通風面の残りが温風の流入面となるように、一対の通風面が冷風通路および温風通路の双方に跨って配置されている。
【００１６】
これによると、一方の通風面側に水分が偏在したとしても、その水分は、一方の通風面側から流出する空気の加湿に利用されることになる。このため、送風機における空気の吸込方向および空気の吹出方向を逆転させることなく、調湿装置における加湿機能を適切に発揮させることができる。
【００１７】
加えて、吸着器が冷風通路および温風通路の双方に跨るように配置されているので、吸着材に水分が吸着された除湿風および吸着材の水分によって加湿された加湿風を同時に生成することが可能となる。
【００１８】
したがって、本開示の調湿装置によれば、送風機の選定の自由度を確保しつつ、調湿装置における湿度の調整機能を適切に発揮させることができる。
【００１９】
なお、この欄および特許請求の範囲で記載した各手段の括弧内の符号は、後述する実施形態に記載の具体的手段との対応関係の一例を示すものである。
【図面の簡単な説明】
【００２０】
【図１】第１実施形態の空気調和装置の概略構成図である。
【図２】第１実施形態の空気調和装置における吸着モード時の作動を説明するための説明図である。
【図３】吸着モード時の吸着器内部における水分の分布を説明するための説明図である。
【図４】吸着モードと脱離モードとで吸着器内部における通風方向が同じ方向になっている構成における脱離モード時の吸着器内部の状態を説明するための説明図である。
【図５】第１実施形態の空気調和装置における脱離モード時の作動を説明するための説明図である。
【図６】第１実施形態の空気調和装置における脱離モード時の吸着器内部の状態を説明するための説明図である。
【図７】第１実施形態の空気調和装置の変形例を示す概略構成図である。
【図８】第２実施形態の空気調和装置の概略構成図である。
【図９】第２実施形態の空気調和装置における吸着モード時の作動を説明するための説明図である。
【図１０】第２実施形態の空気調和装置における脱離モード時の作動を説明するための説明図である。
【図１１】第２実施形態の空気調和装置の変形例を示す概略構成図である。
【図１２】第３実施形態の空気調和装置の概略構成図である。
【図１３】第３実施形態の空気調和装置における吸着モード時の作動を説明するための説明図である。
【図１４】第３実施形態の空気調和装置における吸着モード時の吸着器内部の状態を説明するための説明図である。
【図１５】第３実施形態の空気調和装置における脱離モード時の作動を説明するための説明図である。
【図１６】第３実施形態の空気調和装置における脱離モード時の吸着器内部の状態を説明するための説明図である。
【図１７】第４実施形態の空気調和装置の概略構成図である。
【図１８】第４実施形態の空気調和装置の作動を説明するための説明図である。
【図１９】第４実施形態の空気調和装置における吸着器の作動を説明するための説明図である。
【図２０】第５実施形態の空気調和装置の概略構成図である。
【図２１】第５実施形態の空気調和装置の吸着器の上面側を示す模式図である。
【図２２】第５実施形態の空気調和装置における吸着器の作動を説明するための説明図である。
【発明を実施するための形態】
【００２１】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００２２】
（第１実施形態）
本実施形態について、図１〜図６を参照して説明する。本実施形態では、本開示の調湿装置を家屋や車両の室内の湿度を調整する空気調和装置１０に適用した例について説明する。本実施形態の空気調和装置１０は、外部から給水することなく吸着器２０で生成した加湿風をユーザの周囲の空間Ｓｄｈに提供する無給水加湿器として使用される。本実施形態では、室内におけるユーザの周囲の空間Ｓｄｈが調湿対象空間に相当する。
【００２３】
図１に示すように、空気調和装置１０は、空気を室内に導く空気通路１２０を形成するケーシング１２を備えている。ケーシング１２には、空気流れ最上流側の部位に、空気通路１２０に空気を導入するための空気導入部１２１が形成されている。
【００２４】
ケーシング１２の内部には、空気通路１２０において室内へ向かう気流を発生させる送風機１４、空気を冷却して冷風を生成する冷却器１６、空気を加熱して温風を生成する加熱器１８、吸着器２０、経路切替機構３０等が収容されている。
【００２５】
送風機１４は、空気導入部１２１から吸い込んだ空気を冷却器１６、加熱器１８、吸着器２０に空気を供給する機器である。本実施形態の送風機１４は、空気の吸込方向および空気の吹出方向が所定の方向に固定された構造を有している。具体的には、送風機１４は、送風機１４の回転中心となる軸心ＣＬに沿って吸い込んだ空気を軸心ＣＬに交差する方向に吹き出す遠心送風機で構成されている。
【００２６】
冷却器１６は、送風機１４から送風された空気を冷却して冷風を生成するものである。本実施形態では、冷却器１６として蒸気圧縮式の冷凍サイクルを構成する蒸発器が採用されている。
【００２７】
加熱器１８は、送風機１４から送風された空気を加熱して温風を生成するものである。本実施形態では、加熱器１８として発熱機器（例えば、内燃機関）の冷却水を放熱させるヒータコアが採用されている。
【００２８】
ここで、冷却器１６および加熱器１８は、空気通路１２０における送風機１４の空気流れ下流側に配置されている。冷却器１６および加熱器１８は、送風機１４の空気流れに対して並列に配置されている。
【００２９】
本実施形態のケーシング１２には、空気通路１２０を冷却器１６が設置される冷却器通路１２０ａと、加熱器１８が設置される加熱器通路１２０ｂとに仕切る仕切部１２２が設けられている。
【００３０】
仕切部１２２における送風機１４に近い一端部１２２ａ側には、後述する経路切替機構３０の経路切替ドア３１が設けられている。仕切部１２２の一端部１２２ａの反対側の経端部１２２ｂ側には、冷却器通路１２０ａと加熱器通路１２０ｂとを連通させる連通路１２０ｃが設けられている。
【００３１】
また、ケーシング１２には、加湿風をケーシング１２の外部に導出するための加湿側開口部１２３、および除湿風をケーシング１２の外部に導出するための除湿側開口部１２４が形成されている。
【００３２】
加湿側開口部１２３は、ケーシング１２のうち送風機１４と冷却器１６との間の部位に開口している。具体的には、加湿側開口部１２３は、ケーシング１２のうち、後述する経路切替ドア３１が冷却器通路１２０ａの送風機１４側が閉鎖された際に冷却器１６の空気流れ下流側となる位置に開口している。加湿側開口部１２３には、加湿風をユーザの周囲の空間Ｓｄｈに導くための加湿側ダクト１３１が接続されている。
【００３３】
除湿側開口部１２４は、ケーシング１２のうち送風機１４と加熱器１８との間の部位に開口している。具体的には、除湿側開口部１２４は、ケーシング１２のうち、後述する経路切替ドア３１が加熱器通路１２０ｂの送風機１４側が閉鎖された際に加熱器１８の空気流れ下流側となる位置に開口している。除湿側開口部１２４には、除湿風をユーザの周囲の空間Ｓｄｈとは異なる室外空間Ｓｈに排気するための除湿側ダクト１３２が接続されている。
【００３４】
続いて、吸着器２０は、内部に空気が流通可能な通風路２００が形成されると共に、通風路２００を通過する空気に含まれる水分を吸着して脱離することが可能に構成されている。本実施形態の吸着器２０は、その位置が変化しないようにケーシング１２の内部に固定されている。具体的には、吸着器２０は、冷却器通路１２０ａのうち冷却器１６と連通路１２０ｃとで挟まれる位置に配置されている。なお、吸着器２０は、加熱器通路１２０ｂのうち加熱器１８と連通路１２０ｃとで挟まれる位置や、連通路１２０ｃに配置されていてもよい。
【００３５】
吸着器２０は、外殻を構成する側面壁部２１、側面壁部２１に設けられた吸着材２２を有している。また、吸着器２０は、空気を流入または流出させる一対の通風面２０１、２０２を有している。一対の通風面２０１、２０２は、側面壁部２１の両端部に形成されている。
【００３６】
側面壁部２１は、その内部に通風路２００を形成する部材である。側面壁部２１の両端部には、吸着器２０の通風路２００に空気を流入または流出させる一対の通風面２０１、２０２が形成されている。なお、側面壁部２１は、一対の通風面２０１、２０２以外の部位から空気が透過しないように、高いガスバリア性が発揮される厚みを有している。
【００３７】
吸着材２２は、側面壁部２１の内側に設けられている。吸着材２２は、側面壁部２１と一体に構成されている。吸着材２２は、表面に吸着物質が担持された基材を含んで構成されている。吸着材２２は、通気性を有している。すなわち、吸着材２２は、空気が流通可能なように吸着物質が担持された基材が配置されている。
【００３８】
ここで、吸着物質は、空気中の水分を吸着したり、吸着した水分を脱離して空気を加湿したりする特性を有する物質である。吸着物質としては、高分子吸着材、ゼオライト、シリカゲル等が採用されている。
【００３９】
吸着器２０では、その内部の通風路２００を通過する空気の相対湿度がある程度高い場合に、空気に含まれる水分が吸着材２２に吸着される。このため、吸着器２０に相対湿度がある程度高い空気が供給されると、その空気は、吸着材２２で除湿され、除湿風となって吸着器２０から流出する。
【００４０】
また、吸着器２０では、その内部の通風路２００を通過する空気の相対湿度がある程度低い場合に、吸着材２２に吸着された水分が脱離する。このため、吸着器２０に相対湿度がある程度低い空気が供給されると、その空気は、吸着材２２で加湿され、加湿風となって吸着器２０から流出する。
【００４１】
続いて、経路切替機構３０は、吸着材２２に吸着された水分を脱離させて空気を加湿する脱離モードと、吸着材２２に水分を吸着させて空気を除湿する吸着モードとで、ケーシング１２内側の空気通路１２０を流れる空気の通風経路を切り替えるものである。経路切替機構３０は、脱離モードと吸着モードとを切り替えるモード切替部として機能する。
【００４２】
本実施形態の経路切替機構３０は、吸着モードと脱離モードとで吸着器２０おける空気の通風方向を逆転させる構成になっている。具体的には、経路切替機構３０は、経路切替ドア３１、第１開閉ドア３２、および第２開閉ドア３３を有している。各ドア３１〜３３は、図示しない電動アクチュエータによって回動する回動ドアで構成されている。なお、各ドア３１〜３３は、回動ドアに限らず、例えば、スライドドアで構成されていてもよい。
【００４３】
経路切替ドア３１は、送風機１４と仕切部１２２との間に配置されている。経路切替ドア３１は、冷却器通路１２０ａの送風機１４側と加熱器通路１２０ｂの送風機１４側とを選択的に開閉するドアである。
【００４４】
経路切替ドア３１は、吸着モード時に、冷却器通路１２０ａの送風機１４側を開放し、加熱器通路１２０ｂの送風機１４側を閉鎖する位置に設定される。これにより、吸着モード時には、冷却器１６で生成された冷風が一方の通風面２０１から吸着器２０に流入して他方の通風面２０２から流出する通風経路となる。
【００４５】
また、経路切替ドア３１は、脱離モード時に、加熱器通路１２０ｂの送風機１４側を開放し、冷却器通路１２０ａの送風機１４側を閉鎖する位置に設定される。これにより、脱離モード時には、加熱器１８で生成された温風が他方の通風面２０２から吸着器２０に流入して一方の通風面２０１から流出する通風経路となる。
【００４６】
第１開閉ドア３２は、加湿側開口部１２３を開閉するドアである。第１開閉ドア３２は、吸着モード時に加湿側開口部１２３を閉鎖する位置に設定され、脱離モード時に加湿側開口部１２３を開放する位置に設定される。
【００４７】
第２開閉ドア３３は、除湿側開口部１２４を開閉するドアである。第２開閉ドア３３は、吸着モード時に除湿側開口部１２４を開放する位置に設定され、脱離モード時に除湿側開口部１２４を閉鎖する位置に設定される。
【００４８】
このように構成される経路切替機構３０は、制御装置１００によってその作動が制御される。制御装置１００は、空気調和装置１０における送風機１４、経路切替機構３０等の各種機器を制御する電気制御部である。制御装置１００は、プロセッサ、メモリ等を含む周知のマイクロコンピュータとその周辺回路を含んで構成されている。制御装置１００は、メモリに記憶されたプログラムにしたがって各種処理を実行する。なお、メモリは、非遷移的実体的記憶媒体で構成される。
【００４９】
制御装置１００の入力側には、操作パネル１１０が接続されている。この操作パネル１１０には、空気調和装置１０の湿度調整運転のオン・オフを切り替える調湿スイッチ１１０ａ等が設けられている。
【００５０】
次に、本実施形態の空気調和装置１０の作動について説明する。空気調和装置１０は、調湿スイッチ１１０ａがオン状態に操作されると、乗員の周囲の空間Ｓｄｈを加湿する湿度調整運転を行う。
【００５１】
本実施形態の湿度調整運転では、制御装置１００が送風機１４を作動させる。この状態で制御装置１００が経路切替機構３０による通風経路の切り替えを所定時間毎に行うことで、吸着モードと脱離モードとを交互に繰り返す。なお、経路切替機構３０による通風経路の切り替えは、時間ではなく、例えば、吸着器２０内部の水分量に応じて実施される構成になっていてもよい。
【００５２】
吸着モード時には、経路切替機構３０を構成する経路切替ドア３１、第１開閉ドア３２、第２開閉ドア３３が、制御装置１００によって所定の位置に制御される。具体的には、図２に示すように、経路切替ドア３１は、吸着モード時に、冷却器通路１２０ａの送風機１４側を開放し、加熱器通路１２０ｂの送風機１４側を閉鎖する位置に設定される。第１開閉ドア３２は、吸着モード時に、加湿側開口部１２３を閉鎖する位置に設定される。また、第２開閉ドア３３は、吸着モード時に、除湿側開口部１２４を開放する位置に設定される。
【００５３】
これにより、吸着モード時には、送風機１４から送風された空気が冷却器１６に流入する。冷却器１６に流入した空気は、冷却器１６で冷却されることで、吸着器２０で水分を吸着させることが可能な高湿度となるまで相対湿度が高められる。
【００５４】
冷却器１６で冷却された低温高湿の空気は、一方の通風面２０１から吸着器２０に流入する。吸着器２０に流入した低温高湿の空気は、吸着器２０内部の通風路２００を通過する際に吸着材２２で水分が吸着されることで除湿された後、吸着器２０の他方の通風面２０２から流出する。
【００５５】
吸着器２０で除湿された低温低湿の空気は、連通路１２０ｃを介して加熱器１８に流入する。加熱器１８に流入した空気は、加熱器１８を通過する際に加熱されて適温の除湿風になって、除湿側開口部１２４および除湿側ダクト１３２を介して乗員の周囲の空間Ｓｄｈ以外の室外空間Ｓｈに排気される。
【００５６】
本発明者らの調査研究によれば、吸着モード時に吸着材２２に吸着された水分は、吸着器２０の内部に一様に分布するわけではなく、吸着器２０の一部に偏在する傾向があることが判っている。具体的には、吸着モード時に吸着材２２に吸着された水分は、図３に示すように、吸着器２０における一対の通風面２０１、２０２のうち空気の流入面となる一方の通風面２０１側に偏り易い傾向がある。
【００５７】
ここで、吸着モードと脱離モードとで吸着器２０内部における通風方向が同じ方向になっている構成では、水分が偏在する一方の通風面２０１に、吸着材２２に吸着された水分を脱離させる空気が導入されることになる。この場合、図４に示すように、一方の通風面２０１側の吸着材２２から脱離した水分が他方の通風面２０２側の吸着材２２に吸着されることで、充分に加湿されていない空気が他方の通風面２０２から流出してしまう。
【００５８】
これに対して、吸着モードの継続時間を長くすることで、吸着器２０の内部に水分を一様に分布させることが可能となる。ところが、この場合、加湿風が生成されない期間が長くなってしまう。
【００５９】
このように、吸着モードと脱離モードとで吸着器２０内部における通風方向が同じ方向になっている構成では、吸着モード時に吸着器２０における一方の通風面２０１側に水分が偏在すると、空気調和装置１０の加湿機能が適切に発揮されなくなってしまう虞がある。
【００６０】
そこで、本開示の空気調和装置１０は、経路切替機構３０によって、吸着モードと脱離モードとで吸着器２０おける空気の通風方向を逆転させる構成になっている。具体的には、経路切替ドア３１は、図５に示すように、脱離モード時に、加熱器通路１２０ｂの送風機１４側を開放し、冷却器通路１２０ａの送風機１４側を閉鎖する位置に設定される。第１開閉ドア３２は、脱離モード時に、加湿側開口部１２３を開放する位置に設定される。また、第２開閉ドア３３は、脱離モード時に、除湿側開口部１２４を閉鎖する位置に設定される。
【００６１】
これにより、脱離モード時には、送風機１４から送風された空気が加熱器１８に流入する。加熱器１８に流入した空気は、加熱器１８で加熱されることで、吸着器２０から水分を脱離させることが可能な低湿度となるまで相対湿度が低められる。
【００６２】
加熱器１８で加熱された高温低湿の空気は、他方の通風面２０２から吸着器２０に流入する。吸着器２０に流入した高温低湿の空気は、吸着器２０内部の通風路２００を通過する際に吸着材２２から脱離した水分によって加湿された後、吸着器２０の一方の通風面２０１から流出する。この際、吸着器２０の一方の通風面２０１に偏った水分を、一方の通風面２０１から流出する空気が受け取ることになるので、図６に示すように、吸着器２０内部で水分を受け取った空気が再び吸着材２２に吸着されることなく高温高湿の加湿風となる。
【００６３】
吸着器２０で加湿された高温高湿の空気は、連通路１２０ｃを介して冷却器１６に流入する。冷却器１６に流入した空気は、冷却器１６を通過する際に冷却されて適温の加湿風になって、加湿側開口部１２３および加湿側ダクト１３１を介して乗員の周囲の空間Ｓｄｈに導かれる。
【００６４】
以上説明した本実施形態の空気調和装置１０は、経路切替機構３０による通風経路の切り替えによって、吸着モード時と脱離モード時とで吸着器２０における空気の通風方向を逆転させる構成になっている。これによると、吸着器２０の一対の通風面２０１、２０２のうち吸着モード時に空気の流入面となる一方の通風面２０１が脱離モード時に空気の流出面となり、吸着モード時に空気の流出面となる他方の通風面２０２が脱離モード時に空気の流入面となる。このような構成では、吸着モード時に吸着器２０における一方の通風面２０１側に偏在する水分を脱離モード時に一方の通風面２０１から流出する空気が受け取ることになるので、水分を受け取った空気が再び吸着材２２に吸着され難くなる。この結果、空気調和装置１０における加湿機能を適切に発揮させることができる。
【００６５】
また、本実施形態の空気調和装置１０は、経路切替機構３０によって吸着器２０における空気の通風方向を逆転させるので、空気の吸込方向および空気の吹出方向を逆転可能な送風機１４を採用する必要性がない。このため、送風機１４の選定の自由度を確保することができる。
【００６６】
したがって、本実施形態の空気調和装置１０によれば、送風機１４の選定の自由度を確保しつつ、空気調和装置１０における湿度の調整機能を適切に発揮させることが可能となる。
【００６７】
特に、本実施形態の経路切替機構３０は、吸着モード時に、冷却器１６、吸着器２０、加熱器１８の順に空気が流れる通風経路に切り替え、脱離モード時に、加熱器１８、吸着器２０、冷却器１６の順に空気が流れる通風経路に切り替える構成になっている。
【００６８】
これによると、吸着モード時に生成される除湿風の温度が過度に低くなってしまうことを抑えたり、脱離モード時に生成される加湿風の温度が過度に高くなってしまうことを抑えたりすることができる。すなわち、空気調和装置１０による湿度調整にともなって室内等の温度が必要以上に変化してしまうことを抑えることができる。
【００６９】
（第１実施形態の変形例）
以下、上述の第１実施形態で説明した空気調和装置１０の変形例について説明する。以下に示す第１実施形態の変形例は、第１実施形態で説明した空気調和装置１０に限らず、第１実施形態以降の実施形態に対しても適用可能である。
【００７０】
上述の第１実施形態では、室外空間Ｓｈに除湿風を排気する例について説明したが、これに限定されない。空気調和装置１０は、除湿風を室外空間Ｓｈではなく、例えば、図７に示すように、家屋や車両の窓ガラスの内側空間Ｓｈ１に供給して、窓ガラスの防曇に有効活用する構成になっていてもよい。
【００７１】
また、加湿風および除湿風の使い道は、家屋や車両等の室内の湿度調整に限定されず、様々な場面で有効活用することが可能とである。例えば、加湿風については、動植物の育成、食品の保管等にも活用可能である。また、除湿風については、電子機器の保護、美術品の保護等にも活用可能である。
【００７２】
上述の第１実施形態では、空気調和装置１０を加湿器として使用する例について説明したが、これに限定されない。空気調和装置１０は、例えば、加湿風を室外に排気して室内に除湿風を供給する除湿器として構成されていてもよい。また、空気調和装置１０は、加湿風および除湿風の双方を室内の湿度に使用する機器として構成されていてもよい。
【００７３】
上述の第１実施形態では、経路切替機構３０が、吸着モード時に、冷却器１６、吸着器２０、加熱器１８の順に空気が流れる通風経路に切り替える例について説明したが、これに限定されない。経路切替機構３０は、例えば、吸着モード時に、冷却器１６、吸着器２０の順に空気が流れるものの加熱器１８に空気が流れない通風経路に切り替える構成になっていてもよい。
【００７４】
上述の第１実施形態では、経路切替機構３０が、脱離モード時に、加熱器１８、吸着器２０、冷却器１６の順に空気が流れる通風経路に切り替える例について説明したが、これに限定されない。経路切替機構３０は、例えば、脱離モード時に、加熱器１８、吸着器２０の順に空気が流れるものの冷却器１６に空気が流れない通風経路に切り替える構成になっていてもよい。
【００７５】
（第２実施形態）
次に、第２実施形態について、図８〜図１０を参照して説明する。本実施形態では、本開示の調湿装置を車室内の温度および湿度を調整する空気調和装置１０に適用した例について説明する。本実施形態では、第１実施形態と異なる部分について主に説明し、同様の部分についての説明を省略する。
【００７６】
図８に示すように、本実施形態のケーシング１２には、空気流れ最上流側の部位に、空気通路１２０に外気を導入する外気導入口１２１Ａ、空気通路１２０に内気を導入する内気導入口１２１Ｂが形成されている。外気導入口１２１Ａおよび内気導入口１２１Ｂには、内外気切替ドア１１が併設されている。外気導入口１２１Ａおよび内気導入口１２１Ｂは、内外気切替ドア１１によって開閉される。
【００７７】
ケーシング１２には、送風機１４の空気流れ下流側に冷却器１６が配置され、冷却器１６の空気流れ下流側に加熱器１８が配置されている。ケーシング１２には、加熱器１８を迂回して空気を流す迂回通路１７が形成されている。そして、ケーシング１２には、加熱器１８を通過する空気と迂回通路１７を通過する空気の風量割合を調整するエアミックスドア１９が設けられている。
【００７８】
さらに、ケーシング１２には、その空気流れ最下流側に、車室内に所望の温度に調整された空調風を吹き出すための複数の吹出開口部１２４ａ〜１２４ｃが設けられている。具体的には、ケーシング１２には、フロントガラスの内側に空調風を吹き出すためのデフロスタ開口部１２４ａ、乗員の上半身側に空調風を吹き出すためのフェイス開口部１２４ｂ、乗員の下半身側に空調風を吹き出すためのフット開口部１２４ｃが形成されている。図示しないがケーシング１２には、各吹出開口部１２４ａ〜１２４ｃを開閉するためのモード切替ドアが設けられている。
【００７９】
ここで、本実施形態のケーシング１２は、吸着器収容部１２５、冷風導入部１２６、温風導入部１２７、加湿風導出部１２８、および除湿風導出部１２９を有している。
【００８０】
吸着器収容部１２５は、内部空間１２５ａを有しており、その内部空間１２５ａに吸着器２０が収容されている。すなわち、吸着器２０は、吸着器収容部１２５に収容されている。
【００８１】
冷風導入部１２６は、吸着器２０に対して冷却器１６で生成された冷風を導入する冷風導入通路１２６ａを形成する部位である。冷風導入通路１２６ａは、冷却器１６と加熱器１８との間に形成される空間に連通している。本実施形態の冷風導入通路１２６ａは、吸着器２０の一方の通風面２０１側に冷風が導入されるように、吸着器収容部１２５の内部空間１２５ａにおける吸着器２０の一方の通風面２０１側の空間に連通している。
【００８２】
温風導入部１２７は、吸着器２０に対して加熱器１８で生成された温風を導入する温風導入通路１２７ａを形成する部位である。温風導入通路１２７ａは、加熱器１８の空気流れ下流側の空間に連通している。本実施形態の温風導入通路１２７ａは、吸着器２０の他方の通風面２０２側に温風が導入されるように、吸着器収容部１２５の内部空間１２５ａにおける吸着器２０の他方の通風面２０２側の空間に連通している。
【００８３】
加湿風導出部１２８は、吸着器２０で加湿された加湿風を加湿側ダクト１３１に導出する加湿風導出通路１２８ａが形成されている。加湿風導出通路１２８ａは、吸着器収容部１２５の内部空間１２５ａにおける吸着器２０の一方の通風面２０１側の空間に連通している。
【００８４】
除湿風導出部１２９は、吸着器２０で除湿された除湿風を除湿側ダクト１３２に導出する除湿風導出通路１２９ａが形成されている。除湿風導出通路１２９ａは、吸着器収容部１２５の内部空間１２５ａにおける吸着器２０の他方の通風面２０２側の空間に連通している。
【００８５】
ここで、本実施形態の除湿側ダクト１３２は、除湿風がケーシング１２内を循環するように、空気流れ下流側の端部が、ケーシング１２における送風機１４の空気吸込側に接続されている。
【００８６】
続いて、本実施形態の経路切替機構３０について説明する。本実施形態の経路切替機構３０は、吸着器収容部１２５の内部空間１２５ａに配置された第１経路切替ドア３４および第２経路切替ドア３５を有している。
【００８７】
第１経路切替ドア３４は、吸着器収容部１２５の内部空間１２５ａにおける吸着器２０の一方の通風面２０１側の空間に配置されている。第１経路切替ドア３４は、冷風導入通路１２６ａと加湿風導出通路１２８ａとを選択的に開閉するドアである。第１経路切替ドア３４は、吸着モード時に冷風導入通路１２６ａを開放して加湿風導出通路１２８ａを閉鎖する位置に設定され、脱離モード時に冷風導入通路１２６ａを閉鎖して加湿風導出通路１２８ａを開放する位置に設定される。
【００８８】
第２経路切替ドア３５は、吸着器収容部１２５の内部空間１２５ａにおける吸着器２０の他方の通風面２０２側の空間に配置されている。第２経路切替ドア３５は、温風導入通路１２７ａと除湿風導出通路１２９ａとを選択的に開閉するドアである。第２経路切替ドア３５は、吸着モード時に温風導入通路１２７ａを閉鎖して除湿風導出通路１２９ａを開放する位置に設定され、脱離モード時に温風導入通路１２７ａを開放して除湿風導出通路１２９ａを閉鎖する位置に設定される。
【００８９】
本実施形態の空気調和装置１０は、吸着モード時に、図９に示すように、経路切替機構３０によって、冷却器１６で生成された冷風が一方の通風面２０１から吸着器２０に流入して他方の通風面２０２から流出する通風経路に切り替えられる。具体的には、吸着モード時には、第１経路切替ドア３４が冷風導入通路１２６ａを開放して加湿風導出通路１２８ａを閉鎖する位置に設定され、第２経路切替ドア３５が温風導入通路１２７ａを閉鎖して除湿風導出通路１２９ａを開放する位置に設定される。
【００９０】
これにより、吸着モード時には、冷却器１６で冷却された低温高湿の空気が、冷風導入通路１２６ａに導入される。冷風導入通路１２６ａに導入された低温高湿の空気は、一方の通風面２０１から吸着器２０に流入する。吸着器２０に流入した低温高湿の空気は、吸着器２０内部の通風路２００を通過する際に吸着材２２で水分が吸着されることで除湿された後、吸着器２０の他方の通風面２０２から流出する。吸着器２０で除湿された空気は、除湿風導出通路１２９ａおよび除湿側ダクト１３２を介して送風機１４の空気吸込側に供給される。
【００９１】
また、本実施形態の空気調和装置１０は、脱離モード時に、図１０に示すように、経路切替機構３０によって、加熱器１８で生成された温風が他方の通風面２０２から吸着器２０に流入して一方の通風面２０１から流出する通風経路に切り替えられる。具体的には、脱離モード時には、第１経路切替ドア３４が冷風導入通路１２６ａを閉鎖して加湿風導出通路１２８ａを開放する位置に設定され、第２経路切替ドア３５が温風導入通路１２７ａを開放して除湿風導出通路１２９ａを閉鎖する位置に設定される。
【００９２】
これにより、脱離モード時には、加熱器１８で加熱された高温低湿の空気が、温風導入通路１２７ａに導入される。温風導入通路１２７ａに導入された高温低湿の空気は、他方の通風面２０２から吸着器２０に流入する。吸着器２０に流入した高温低湿の空気は、吸着器２０内部の通風路２００を通過する際に吸着材２２から脱離した水分によって加湿された後、吸着器２０の一方の通風面２０１から流出する。この際、吸着器２０の一方の通風面２０１に偏った水分を、一方の通風面２０１から流出する空気が受け取ることになるので、水分を受け取った空気が再び吸着材２２に吸着されることなく相対湿度の高い加湿風となる。吸着器２０で加湿された空気は、加湿風導出通路１２８ａおよび加湿側ダクト１３１を介して乗員の周囲の空間Ｓｄｈに導かれる。
【００９３】
以上説明した本実施形態の空気調和装置１０は、経路切替機構３０による通風経路の切り替えによって、吸着モード時と脱離モード時とで吸着器２０における空気の通風方向を逆転させる構成になっている。したがって、本実施形態の空気調和装置１０によれば、第１実施形態等と同様に、送風機１４の選定の自由度を確保しつつ、空気調和装置１０における湿度の調整機能を適切に発揮させることが可能となる。
【００９４】
特に、本実施形態の空気調和装置１０は、車室内の温度および湿度それぞれを共通の送風機１４、冷却器１６、および加熱器１８を利用して調整する構成になっている。これによると、温度調整専用の機器や湿度調整専用の機器が少なくて済むといった利点がある。
【００９５】
（第２実施形態の変形例）
上述の第２実施形態では、除湿風をケーシング１２内部で循環させる例について説明したが、これに限定されない。空気調和装置１０は、例えば、図１１に示すように、室外空間Ｓｈに除湿風を排気する構成になっていてもよい。
【００９６】
（第３実施形態）
次に、第３実施形態について、図１２〜図１６を参照して説明する。本実施形態では、経路切替機構３０ではなく、吸着器２０を回転変位させる吸着器変位機構４０によって、吸着モード時と脱離モード時とで吸着器２０における空気の通風方向を逆転させる構成になっている点が第２実施形態と相違している。本実施形態では、第２実施形態と異なる部分について主に説明し、同様の部分についての説明を省略する。
【００９７】
図１２に示すように、本実施形態の吸着器２０には、一対の通風面２０１、２０２の面方向に沿って延びる回転軸２３が設けられている。吸着器２０は、回転軸２３を回転させると一対の通風面２０１、２０２の位置が変化する。この回転軸２３は、吸着器収容部１２５に回転可能に支持されている。
【００９８】
本実施形態の吸着器収容部１２５は、その内部空間１２５ａに吸着器２０が回転可能に収容されている。吸着器収容部１２５は、その内壁面と吸着器２０の側面壁部２１の外壁面との間の隙間が微少隙間となるように内部空間１２５ａの大きさが設定されている。すなわち、吸着器収容部１２５は、その内径が吸着器２０の側面壁部２１の外径と略同等の大きさとなっている。
【００９９】
吸着器収容部１２５には、冷風導入部１２６、温風導入部１２７、加湿風導出部１２８、および除湿風導出部１２９が接続されている。冷風導入部１２６および除湿風導出部１２９は、吸着器収容部１２５のうち吸着器２０の回転軸２３を挟んで互いに対向する位置に部位に接続されている。また、温風導入部１２７および加湿風導出部１２８は、吸着器収容部１２５のうち吸着器２０の回転軸２３を挟んで互いに対向する位置に部位に接続されている。なお、本実施形態の除湿側ダクト１３２は、除湿風が室外空間Ｓｈに除湿風が排気されるように、空気流れ下流側の端部が室外空間Ｓｈに連通している。
【０１００】
本実施形態の空気調和装置１０は、一対の通風面２０１、２０２の位置が変化するように吸着器２０を変位させる吸着器変位機構４０を有している。吸着器変位機構４０は、吸着器２０の回転軸２３を回転駆動する駆動力を出力する電動モータ（例えば、ステッピングモータ）を含んで構成されている。
【０１０１】
吸着器変位機構４０は、空気通路１２０における一対の通風面２０１、２０２の位置が吸着モード時と脱離モード時とで逆転するように、吸着器２０を変位させる。すなわち、吸着器変位機構４０は、吸着モード時に空気通路１２０において一方の通風面２０１が他方の通風面２０２よりも空気流れ上流側に位置するように吸着器２０を変位させる。また、吸着器変位機構４０は、脱離モード時に空気通路１２０において他方の通風面２０２が一方の通風面２０１よりも空気流れ上流側に位置するように吸着器２０を変位させる。
【０１０２】
具体的には、本実施形態の吸着器変位機構４０は、吸着モード時に、通風路２００を介して冷風導入通路１２６ａと除湿風導出通路１２９ａとが連通する位置に吸着器２０を回転変位させる。この際、温風導入通路１２７ａおよび加湿風導出通路１２８ａは、吸着器２０の側面壁部２１によって閉鎖される。つまり、吸着器変位機構４０は、吸着モード時に、吸着器２０の側面壁部２１によって温風導入通路１２７ａと加湿風導出通路１２８ａとの連通が遮断される位置に吸着器２０を回転変位させることになる。
【０１０３】
一方、本実施形態の吸着器変位機構４０は、脱離モード時に、通風路２００を介して温風導入通路１２７ａと加湿風導出通路１２８ａとが連通する位置に吸着器２０を回転変位させる。この際、冷風導入通路１２６ａおよび除湿風導出通路１２９ａは、吸着器２０の側面壁部２１によって閉鎖される。つまり、吸着器変位機構４０は、脱離モード時に、吸着器２０の側面壁部２１によって冷風導入通路１２６ａと除湿風導出通路１２９ａとの連通が遮断される位置に吸着器２０を回転変位させることになる。
【０１０４】
本実施形態の空気調和装置１０は、吸着モード時に、図１３に示すように、通風路２００を介して冷風導入通路１２６ａと除湿風導出通路１２９ａとが連通するように、吸着器変位機構４０によって吸着器２０が変位させられる。この際、吸着器変位機構４０は、吸着器２０の一方の通風面２０１が他方の通風面２０２よりも空気流れ上流側に位置するように吸着器２０を変位させる。
【０１０５】
これにより、吸着モード時には、冷却器１６で冷却された低温高湿の空気が、冷風導入通路１２６ａに導入される。冷風導入通路１２６ａに導入された低温高湿の空気は、一方の通風面２０１から吸着器２０に流入する。吸着器２０に流入した低温高湿の空気は、吸着器２０内部の通風路２００を通過する際に吸着材２２で水分が吸着されることで除湿される。この際、吸着モード時に吸着材２２に吸着された水分は、図１４に示すように、吸着器２０における一対の通風面２０１、２０２のうち空気の流入面となる一方の通風面２０１側に偏り易い傾向がある。
【０１０６】
図１３に戻り、吸着材２２で水分が吸着されることで除湿された空気は、吸着器２０の他方の通風面２０２から流出した後、除湿風導出通路１２９ａおよび除湿側ダクト１３２を介して室外空間Ｓｈに排気される。
【０１０７】
また、本実施形態の空気調和装置１０は、脱離モード時に、図１５に示すように、通風路２００を介して温風導入通路１２７ａと加湿風導出通路１２８ａとが連通するように、吸着器変位機構４０によって吸着器２０が変位させられる。この際、吸着器変位機構４０は、吸着器２０の他方の通風面２０２が一方の通風面２０１よりも空気流れ上流側に位置するように吸着器２０を変位させる。
【０１０８】
これにより、脱離モード時には、加熱器１８で加熱された高温低湿の空気が、温風導入通路１２７ａに導入される。温風導入通路１２７ａに導入された高温低湿の空気は、他方の通風面２０２から吸着器２０に流入する。吸着器２０に流入した高温低湿の空気は、吸着器２０内部の通風路２００を通過する際に吸着材２２から脱離した水分によって加湿された後、吸着器２０の一方の通風面２０１から流出する。この際、吸着器２０の一方の通風面２０１に偏った水分を、一方の通風面２０１から流出する空気が受け取ることになるので、図１６に示すように、水分を受け取った空気が再び吸着材２２に吸着されることなく相対湿度の高い加湿風となる。吸着器２０で加湿された空気は、加湿風導出通路１２８ａおよび加湿側ダクト１３１を介して乗員の周囲の空間Ｓｄｈに導かれる。
【０１０９】
以上説明した本実施形態の空気調和装置１０は、吸着器変位機構４０によって吸着器２０を変位させることで、吸着モード時と脱離モード時とで吸着器２０における空気の通風方向を逆転させる構成になっている。したがって、本実施形態の空気調和装置１０によれば、第１実施形態等と同様に、送風機１４の選定の自由度を確保しつつ、空気調和装置１０における湿度の調整機能を適切に発揮させることが可能となる。
【０１１０】
特に、本実施形態では、吸着器２０の側面壁部２１が、吸着モード時に温風導入通路１２７ａと加湿風導出通路１２８ａとの連通を遮断し、脱離モード時に冷風導入通路１２６ａと除湿風導出通路１２９ａとの連通を遮断する連通遮断部として機能する。これによると、連通遮断部を別部材（例えば、ドア部材）で構成する場合に比べて、空気調和装置１０における部品点数の増加を抑えることができる。
【０１１１】
（第３実施形態の変形例）
上述の第３実施形態では、吸着器２０の側面壁部２１を連通遮断部として機能させる例について説明したが、これに限定されない。連通遮断部は、例えば、温風導入通路１２７ａと冷風導入通路１２６ａとを選択的に開閉する開閉ドア、および加湿風導出通路１２８ａと除湿風導出通路１２９ａとを選択的に開閉する開閉ドアで構成されていてもよい。
【０１１２】
上述の第３実施形態では、空気調和装置１０として、車室内の温度調整および湿度調整を実施可能なものを例示したが、これに限定されない。空気調和装置１０は、例えば、第１実施形態と同様に、湿度調整だけを実施する構成になっていてもよい。このことは、以降の実施形態においても同様である。
【０１１３】
（第４実施形態）
次に、第４実施形態について、図１７〜図１９を参照して説明する。本実施形態では、吸着器収容部１２５の内部空間１２５ａが、冷風が流通する冷風通路１２５ｂおよび温風が流通する温風通路１２５ｃに仕切られている点が第３実施形態と相違している。本実施形態では、第３実施形態と異なる部分について主に説明し、同様の部分についての説明を省略する。
【０１１４】
図１７に示すように、吸着器収容部１２５には、その内部空間１２５ａを冷風通路１２５ｂおよび温風通路１２５ｃに仕切る一対の隔壁部２４１、２４２が設けられている。そして、吸着器２０は、冷風通路１２５ｂおよび温風通路１２５ｃの双方に跨るように配置されている。
【０１１５】
本実施形態の一対の隔壁部２４１、２４２は、吸着器２０に対して固定されており、吸着器２０と共に回転変位する。一対の隔壁部２４１、２４２は、一方の隔壁部２４１が吸着器２０の一方の通風面２０１側に設けられ、他方の隔壁部２４２が吸着器２０の他方の通風面２０２側に設けられている。一方の通風面２０１は、一方の隔壁部２４１によって第１通風部２０１Ａおよび第２通風部２０１Ｂに区分されている。また、他方の通風面２０２は、他方の隔壁部２４２によって第３通風部２０２Ａおよび第４通風部２０２Ｂに区分されている。
【０１１６】
吸着器収容部１２５には、冷風通路１２５ｂを流れる冷風および温風通路１２５ｃを流れる温風が並行流となるように、冷風導入部１２６、温風導入部１２７、加湿風導出部１２８、除湿風導出部１２９が接続されている。すなわち、吸着器収容部１２５には、冷風導入部１２６および温風導入部１２７が隣り合うように接続されるとともに、加湿風導出部１２８および除湿風導出部１２９が隣り合うように接続されている。
【０１１７】
具体的には、吸着器収容部１２５には、冷風導入部１２６および加湿風導出部１２８が、吸着器収容部１２５のうち吸着器２０の回転軸２３を挟んで互いに対向する位置に部位に接続されている。また、吸着器収容部１２５には、温風導入部１２７および除湿風導出部１２９が、吸着器収容部１２５のうち吸着器２０の回転軸２３を挟んで互いに対向する位置に部位に接続されている。なお、本実施形態の除湿側ダクト１３２は、除湿風がケーシング１２内を循環するように、空気流れ下流側の端部が、ケーシング１２における送風機１４の空気吸込側に接続されている。
【０１１８】
続いて、本実施形態の吸着器変位機構４０は、吸着器収容部１２５の内部空間１２５ａにおける一対の通風面２０１、２０２の位置が逆転するように、吸着器２０を変位させる。すなわち、吸着器変位機構４０は、一方の通風面２０１から流入した冷風および温風が他方の通風面２０２から流出する位置と、他方の通風面２０２から流入した冷風および温風が一方の通風面２０１から流出する位置とに吸着器２０を変位させる構成になっている。
【０１１９】
具体的には、吸着器変位機構４０は、一方の通風面２０１の第１通風部２０１Ａから流入した冷風が他方の通風面２０２の第３通風部２０２Ａから流出する位置に、吸着器２０を変位させることが可能になっている。この際、温風は、一方の通風面２０１の第２通風部２０１Ｂから流入して他方の通風面２０２の第４通風部２０２Ｂから流出する。
【０１２０】
また、吸着器変位機構４０は、他方の通風面２０１の第３通風部２０２Ａから流入した温風が一方の通風面２０１の第１通風部２０１Ａから流出する位置に、吸着器２０を変位させることが可能になっている。この際、冷風は、他方の通風面２０２の第４通風部２０２Ｂから流入して一方の通風面２０２の第２通風部２０１Ｂから流出する。
【０１２１】
続いて、本実施形態の空気調和装置１０の作動について図１８、図１９を参照して説明する。図１８は、一方の通風面２０１から流入した冷風および温風が他方の通風面２０２から流出する位置に吸着器２０が設定された際の空気調和装置１０の作動状態を示している。
【０１２２】
図１８に示す作動状態では、冷却器１６で冷却された低温高湿の空気が冷風導入通路１２６ａを介して冷風通路１２５ｂに導入されると共に、加熱器１８で加熱された高温低湿の空気が温風導入通路１２７ａを介して温風通路１２５ｃに導入される。
【０１２３】
冷風通路１２５ｂに導入された低温高湿の空気は、一方の通風面２０１の第１通風部２０１Ａから吸着器２０の冷風通路１２５ｂ側の部位に流入する。吸着器２０に流入した低温高湿の空気は、吸着器２０内部の通風路２００を通過する際に吸着材２２で水分が吸着されることで除湿される。そして、吸着材２２で水分が吸着されることで除湿された空気は、吸着器２０の他方の通風面２０２の第３通風部２０２Ａから流出した後、除湿風導出通路１２９ａおよび除湿側ダクト１３２を介して送風機１４の空気吸込側に供給される。
【０１２４】
一方、温風通路１２５ｃに導入された高温低湿の空気は、一方の通風面２０１の第２通風部２０１Ｂから吸着器２０の温風通路１２５ｃ側の部位に流入する。吸着器２０に流入した高温低湿の空気は、吸着器２０内部の通風路２００を通過する際に吸着材２２から脱離した水分によって加湿された後、吸着器２０の他方の通風面２０２の第４通風部２０２Ｂから流出する。吸着器２０で加湿された空気は、加湿風導出通路１２８ａおよび加湿側ダクト１３１を介して乗員の周囲の空間Ｓｄｈに導かれる。
【０１２５】
このように、本実施形態の空気調和装置１０では、吸着器２０が冷風通路１２５ｂおよび温風通路１２５ｃの双方に跨るように配置されているので、除湿風および加湿風を同時に生成することが可能になっている。
【０１２６】
ところで、図１８に示す作動状態では、吸着器２０のうち、冷風が導入される一方の通風面２０１の第１通風部２０１Ａ側の部位に水分が偏在し易くなる。このため、本実施形態の空気調和装置１０は、吸着器２０の一部位に水分が偏在する条件が成立すると、図１９に示すように吸着器変位機構４０によって吸着器２０を略１８０°回転変位させる構成になっている。なお、吸着器２０の一部位に水分が偏在する条件としては、吸着器２０の一部位の含水量が所定量を上回った際に成立する条件や、吸着器２０を回転変位させてからの経過時間が所定時間を超えた際に成立する条件等が挙げられる。
【０１２７】
図１８の作動状態から吸着器２０が略１８０°回転変位した状態では、冷風通路１２５ｂに導入された低温高湿の空気が、他方の通風面２０２の第４通風部２０２Ｂから吸着器２０の冷風通路１２５ｂ側の部位に流入する。吸着器２０に流入した低温高湿の空気は、吸着器２０内部の通風路２００を通過する際に吸着材２２で水分が吸着されることで除湿される。そして、吸着材２２で水分が吸着されることで除湿された空気は、吸着器２０の一方の通風面２０１の第２通風部２０１Ｂから流出した後、除湿風導出通路１２９ａおよび除湿側ダクト１３２を介して室外空間Ｓｈに排気される。
【０１２８】
一方、温風通路１２５ｃに導入された高温低湿の空気は、他方の通風面２０２の第３通風部２０２Ａから吸着器２０の温風通路１２５ｃ側の部位に流入する。吸着器２０に流入した高温低湿の空気は、吸着器２０内部の通風路２００を通過する際に吸着材２２から脱離した水分によって加湿された後、吸着器２０の一方の通風面２０１の第１通風部２０１Ａから流出する。この際、第１通風部２０１Ａに偏った水分を、第１通風部２０１Ａから流出する空気が受け取ることになるので、水分を受け取った空気が再び吸着材２２に吸着されることなく相対湿度の高い加湿風となる。吸着器２０で加湿された空気は、加湿風導出通路１２８ａおよび加湿側ダクト１３１を介して乗員の周囲の空間Ｓｄｈに導かれる。
【０１２９】
以上説明した本実施形態の空気調和装置１０は、吸着器変位機構４０によって吸着器２０を変位させることで、吸着器２０の通風路２００における冷風および温風の流れ方向を逆転させることができる。したがって、本実施形態の空気調和装置１０によれば、第１実施形態等と同様に、送風機１４の選定の自由度を確保しつつ、空気調和装置１０における湿度の調整機能を適切に発揮させることが可能となる。
【０１３０】
特に、本実施形態では、吸着器２０が冷風通路１２５ｂおよび温風通路１２５ｃの双方に跨るように配置されているので、吸着材２２が有する水分の吸着作用および脱離作用を同時に発揮させて、除湿風および加湿風を同時に生成することが可能となる。
【０１３１】
（第４実施形態の変形例）
上述の第４実施形態では、除湿風をケーシング１２内部で循環させる例について説明したが、これに限定されない。空気調和装置１０は、例えば、室外空間Ｓｈに除湿風を排気する構成になっていてもよい。
【０１３２】
（第５実施形態）
次に、第５実施形態について、図２０〜図２２を参照して説明する。本実施形態では、吸着器収容部１２５の内部を流れる冷風および温風が対向流となるように構成されるとともに、冷風通路１２５ｂおよび温風通路１２５ｃの一方から他方に吸着材２２を移動させることが可能に構成されている点が第４実施形態と相違している。本実施形態では、第４実施形態と異なる部分について主に説明し、同様の部分についての説明を省略する。
【０１３３】
図２０および図２１に示すように、本実施形態の吸着器収容部１２５には、その内部空間１２５ａが一対の隔壁部２４１、２４２によって、冷風通路１２５ｂおよび温風通路１２５ｃに仕切られている。本実施形態の一対の隔壁部２４１、２４２は、吸着器収容部１２５に対して固定されている。このため、一対の隔壁部２４１、２４２は、吸着器２０が回転してもその位置が変化しない。
【０１３４】
また、本実施形態の吸着器収容部１２５には、冷風通路１２５ｂを流れる冷風および温風通路１２５ｃを流れる温風が対向流となるように、冷風導入部１２６、温風導入部１２７、加湿風導出部１２８、除湿風導出部１２９が接続されている。すなわち、吸着器収容部１２５には、冷風導入部１２６および加湿風導出部１２８が隣り合うように接続されるとともに、温風導入部１２７および除湿風導出部１２９が隣り合うように接続されている。
【０１３５】
具体的には、吸着器収容部１２５には、吸着器２０の一方の通風面２０１側に位置する部位に冷風導入部１２６および加湿風導出部１２８が接続され、他方の通風面２０２側に位置する部位に温風導入部１２７および除湿風導出部１２９が接続されている。
【０１３６】
本実施形態の吸着器２０は、冷風通路１２５ｂおよび温風通路１２５ｃの双方に跨るように配置されている。具体的には、吸着器２０は、一方の通風面２０１の一部が冷風の流入面となるとともに、一方の通風面２０１の残りが温風の流出面となるように、冷風通路１２５ｂおよび温風通路１２５ｃの双方に跨って配置されている。また、吸着器２０は、他方の通風面２０２の一部が冷風の流出面となるとともに、他方の通風面２０１の残りが温風の流入面となるように、冷風通路１２５ｂおよび温風通路１２５ｃの双方に跨って配置されている。
【０１３７】
また、本実施形態の吸着器２０は、一対の通風面２０１、２０２が対向する方向（すなわち、空気の流れ方向）に沿って延びる回転軸２５が設けられている。吸着器２０は、回転軸２５を回転させると、冷風通路１２５ｂ側に位置する吸着材２２の一部が温風通路１２５ｃ側に移動し、温風通路１２５ｃ側に位置する吸着材２２の一部が冷風通路１２５ｂ側に移動するように変位する。この回転軸２５は、駆動機構５０によって回転駆動される。
【０１３８】
駆動機構５０は、吸着器２０に設けられた回転軸２５を回転させることで、冷風通路１２５ｂ側に位置する吸着材２２を温風通路１２５ｃ側に移動させたり、温風通路１２５ｃ側に位置する吸着材２２を冷風通路１２５ｂ側に移動させたりするものである。駆動機構５０は、吸着器２０の回転軸２５を回転駆動する駆動力を出力する電動モータ（例えば、ステッピングモータ）を含んで構成されている。
【０１３９】
続いて、本実施形態の空気調和装置１０の作動について図２０、図２２を参照して説明する。図２０に示すように、本実施形態の空気調和装置１０では、送風機１４が作動すると、冷却器１６で冷却された低温高湿の空気が冷風通路１２５ｂに導入されると共に、加熱器１８で加熱された高温低湿の空気が温風通路１２５ｃに導入される。
【０１４０】
冷風通路１２５ｂに導入された低温高湿の空気は、一方の通風面２０１から吸着器２０の冷風通路１２５ｂ側の部位に流入する。吸着器２０に流入した低温高湿の空気は、吸着器２０内部の通風路２００を通過する際に吸着材２２で水分が吸着されることで除湿される。そして、吸着材２２で水分が吸着されることで除湿された空気は、吸着器２０の他方の通風面２０２から流出した後、除湿風導出通路１２９ａおよび除湿側ダクト１３２を介して送風機１４の空気吸込側に供給される。
【０１４１】
一方、温風通路１２５ｃに導入された高温低湿の空気は、他方の通風面２０２から吸着器２０の温風通路１２５ｃ側の部位に流入する。吸着器２０に流入した高温低湿の空気は、吸着器２０内部の通風路２００を通過する際に吸着材２２から脱離した水分によって加湿された後、吸着器２０の一方の通風面２０１から流出する。この際、吸着器２０の一方の通風面２０１に偏った水分を、一方の通風面２０１から流出する温風が受け取ることになるので、水分を受け取った空気が再び吸着材２２に吸着されることなく相対湿度の高い加湿風となる。吸着器２０で加湿された空気は、加湿風導出通路１２８ａおよび加湿側ダクト１３１を介して乗員の周囲の空間Ｓｄｈに導かれる。
【０１４２】
このように、本実施形態の空気調和装置１０では、吸着器２０が冷風通路１２５ｂおよび温風通路１２５ｃの双方に跨るように配置されているので、除湿風および加湿風を同時に生成することが可能になっている。
【０１４３】
ところで、図２２の上段に示す作動状態では、吸着器２０のうち一方の通風面２０１の冷風通路１２５ｂ側の部位に水分が偏在し易くなる。このため、本実施形態の空気調和装置１０は、一方の通風面２０１の冷風通路１２５ｂ側の部位に水分が偏在する条件が成立すると、図２２の下段に示すように駆動機構５０によって吸着材２２を略１８０°回転移動させる構成になっている。なお、吸着器２０の一部位に水分が偏在する条件としては、吸着器２０の一部位の含水量が所定量を上回った際に成立する条件や、吸着器２０を回転変位させてからの経過時間が所定時間を超えた際に成立する条件等が挙げられる。
【０１４４】
吸着材２２を略１８０°回転移動させると、冷風通路１２５ｂ側で水分を吸着した吸着材２２が温風通路１２５ｃ側に移動し、温風通路１２５ｃ側で水分を脱離した吸着材２２が冷風通路１２５ｂ側に移動する。これによると、吸着器２０のうち一方の通風面２０１の冷風の流入面側に偏った水分を、吸着材２２とともに一方の通風面２０１の温風の流出面側に移動させることができるので、効率よく加湿風を生成することができる。
【０１４５】
以上説明した本実施形態では、一方の通風面２０１から流入した冷風が他方の通風面２０２から流出し、他方の通風面２０２から流入した温風が一方の通風面２０１から流出するように、吸着器２０が各通路１２５ｂ、１２５ｃの双方に跨るように配置されている。
【０１４６】
これによると、一方の通風面２０１側に水分が偏在したとしても、その水分は、一方の通風面２０１側から流出する温風の加湿に利用されることになる。したがって、本実施形態の空気調和装置１０によれば、第１実施形態等と同様に、送風機１４の選定の自由度を確保しつつ、空気調和装置１０における湿度の調整機能を適切に発揮させることが可能となる。
【０１４７】
また、本実施形態では、吸着器２０が冷風通路１２５ｂおよび温風通路１２５ｃの双方に跨るように配置されているので、吸着材２２における水分の吸着作用および脱離作用を同時に発揮させることができる。すなわち、本実施形態の空気調和装置１０によれば、除湿風および加湿風を同時に生成することが可能となる。
【０１４８】
さらに、本実施形態では、冷風通路１２５ｂ側で水分を吸着した吸着材２２を温風通路１２５ｃ側に移動させ、温風通路１２５ｃ側で水分を脱離した吸着材２２を冷風通路１２５ｂ側に移動させる構成になっている。このため、除湿風および加湿風を連続的に生成することが可能となる。
【０１４９】
特に、本実施形態では、第４実施形態と異なり、吸着器２０を回転移動させても一対の通風面２０１、２０２が変位しないので、冷風および温風を間断なく吸着器２０に供給して、除湿風および加湿風を連続的に生成することが可能となる。
【０１５０】
（第５実施形態の変形例）
上述の第５実施形態では、除湿風をケーシング１２内部で循環させる例について説明したが、これに限定されない。空気調和装置１０は、例えば、室外空間Ｓｈに除湿風を排気する構成になっていてもよい。
【０１５１】
上述の第５実施形態では、吸着材２２の冷風通路１２５ｂ側の部位に水分が偏在する条件が成立した際に、駆動機構５０によって吸着材２２を略１８０°回転移動させる例について説明したが、これに限定されない。空気調和装置１０は、例えば、湿度調整運転時に、駆動機構５０が吸着器２０を所定の速度で常時回転させる構成になっていてもよい。
【０１５２】
上述の第５実施形態では、駆動機構５０によって吸着器２０を回転させることで吸着材２２を移動させる例について説明したが、これに限定されない。駆動機構５０は、吸着器２０の回転以外の手段によって、吸着材２２を移動させる構成になっていてもよい。
【０１５３】
（他の実施形態）
以上、本開示の代表的な実施形態について説明したが、本開示は、上述の実施形態に限定されることなく、例えば、以下のように種々変形可能である。
【０１５４】
上述の各実施形態では、冷却器１６を蒸気圧縮式の冷凍サイクル装置の蒸発器で構成する例について説明したが、これに限定されない。冷却器１６は、例えば、通電により冷熱を発生させるペルチェ素子を利用した冷却装置で構成されていてもよい。
【０１５５】
上述の各実施形態では、加熱器１８を発熱機器の冷却水を放熱させるヒータコアで構成する例について説明したが、これに限定されない。加熱器１８は、例えば、通電により発熱する電気ヒータで構成されていてもよい。
【０１５６】
上述の各実施形態では、空気の吸込方向および空気の吹出方向が所定の方向に固定された構造を有する送風機１４として遠心送風機が採用された例について説明したが、これに限定されない。送風機１４は、例えば、スタビライザーが固定されたクロスフロー送風機や、一方向にのみ回転可能な電動モータが採用された軸流送風機、ピエゾ式送風機等で構成されていてもよい。また、送風機１４としては、空気の吸込方向および空気の吹出方向を逆転可能なものが採用されていてもよい。
【０１５７】
上述の各実施形態では、本開示の調湿装置を家屋や車両の室内の湿度を調整する空気調和装置１０に適用した例について説明したが、本開示の調湿装置の適用対象は、上述したものに限定されない。本開示の調湿装置は、湿度管理が必要となる機器や施設等に用いられる各種装置に対して広く適用可能である。
【０１５８】
上述の実施形態において、実施形態を構成する要素は、特に必須であると明示した場合および原理的に明らかに必須であると考えられる場合等を除き、必ずしも必須のものではないことは言うまでもない。
【０１５９】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０１６０】
上述の実施形態において、構成要素等の形状、位置関係等に言及するときは、特に明示した場合および原理的に特定の形状、位置関係等に限定される場合等を除き、その形状、位置関係等に限定されない。
【０１６１】
（まとめ）
上述の実施形態の一部または全部で示された第１の観点によれば、調湿装置は、モード切替部が、送風機における空気の吸込方向および空気の吹出方向が維持された状態で、吸着器における空気の通風方向を逆転させる構成になっている。
【０１６２】
第２の観点によれば、調湿装置は、送風機および吸着器が収容されるとともに、吸着器の内部の通風路に連通する空気通路が形成されたケーシングを備える。モード切替部は、一対の通風面の位置が変化するように吸着器を変位させる吸着器変位機構で構成されている。吸着器変位機構は、吸着モード時に一方の通風面が他方の通風面よりも空気流れ上流側となる位置に吸着器を変位させ、脱離モード時に一方の通風面が他方の通風面よりも空気流れ下流側となる位置に吸着器を変位させる構成になっている。
【０１６３】
このように、吸着器の一対の通風面を変位させることで、吸着器における空気の通風方向を逆転させる構成とすれば、空気の吸込方向および空気の吹出方向を逆転可能な送風機を採用することなく、吸着器における空気の通風方向を逆転させることができる。
【０１６４】
第３の観点によれば、調湿装置の空気通路は、冷風を吸着器に導入する冷風導入通路、温風を吸着器に導入する温風導入通路、吸着器から加湿された空気を導出する加湿風導出通路、吸着器から除湿された空気を導出する除湿風導出通路を含んでいる。吸着器は、通風路を形成するための側面壁部を有している。吸着器変位機構は、吸着モード時に、通風路を介して冷風導入通路と除湿風導出通路とが連通する位置であって、側面壁部によって温風導入通路と加湿風導出通路との連通が遮断される位置に吸着器を変位させる。また、吸着器変位機構は、脱離モード時に、通風路を介して温風導入通路と加湿風導出通路とが連通する位置であって、側面壁部によって冷風導入通路と除湿風導出通路との連通が遮断される位置に吸着器を変位させる。
【０１６５】
これによると、吸着器の側面壁部が、吸着モード時に温風導入通路と加湿風導出通路との連通を遮断する連通遮断部として機能し、脱離モード時に冷風導入通路と除湿風導出通路との連通を遮断する連通遮断部として機能する。このため、通路遮断部を別部材（例えば、ドア部材）で構成する場合に比べて、調湿装置における部品点数の増加を抑えることができる。
【０１６６】
第４の観点によれば、調湿装置は、送風機および吸着器が収容されるとともに、吸着器の内部の通風路に連通する空気通路が形成されたケーシングを備える。モード切替部は、空気通路を流れる空気の通風経路を切り替える経路切替機構で構成されている。経路切替機構は、吸着モード時に空気通路を流れる空気が一方の通風面から吸着器に流入して他方の通風面から流出する通風経路に切り替える。経路切替機構は、脱離モード時に空気通路を流れる空気が他方の通風面から吸着器に流入して一方の通風面から流出する通風経路に切り替える。
【０１６７】
このように、通風経路の切り替えによって、吸着器における空気の通風方向を逆転させる構成とすれば、空気の吸込方向および空気の吹出方向を逆転可能な送風機を採用することなく、吸着器における空気の通風方向を逆転させることができる。
【０１６８】
第５の観点によれば、調湿装置は、空気通路を流れる空気を冷却する冷却器と、空気通路を流れる空気を加熱する加熱器と、を備える。経路切替機構は、吸着モード時に、冷却器、吸着器、加熱器の順に空気が流れる通風経路に切り替え、脱離モード時に、加熱器、吸着器、冷却器の順に空気が流れる通風経路に切り替える。
【０１６９】
これによると、吸着モード時に生成される除湿風の温度が過度に低くなってしまうことを抑えたり、脱離モード時に生成される加湿風の温度が過度に高くなってしまうことを抑えたりすることができる。すなわち、調湿装置による湿度調整にともなって調湿対象空間の温度が必要以上に変化してしまうことを抑えることができる。
【０１７０】
第６の観点によれば、調湿装置の吸着器は、空気が流入または流出する一対の通風面を有し、一対の通風面が冷風通路および温風通路の双方に跨るように配置されている。そして、吸着器変位機構は、一対の通風面のうち一方の通風面から流入した冷風および温風が他方の通風面から流出する位置と、他方の通風面から流入した冷風および温風が一方の通風面から流出する位置とに吸着器を変位させる構成になっている。
【０１７１】
第７の観点によれば、調湿装置は、空気通路の一部を冷風通路および温風通路に仕切る一対の隔壁部を備える。一対の隔壁部は、一方の隔壁部が一方の通風面側に設けられ、他方の隔壁部が他方の通風面側に設けられている。一方の通風面は、一方の隔壁部によって第１通風部および第２通風部に区分されている。他方の通風面は、他方の隔壁部によって第３通風部および第４通風部に区分されている。吸着器変位機構は、第１通風部から流入した冷風が第３通風部から流出する位置と、第３通風部から流入した温風が第１通風部から流出する位置とに吸着器を変位させる構成になっている。
【０１７２】
第８の観点によれば、調湿装置の吸着器は、空気が流入または流出する一対の通風面を有する。そして、吸着器は、一方の通風面の一部が冷風の流入面となるとともに残りが温風の流出面となり、他方の通風面の一部が冷風の流出面となるとともに残りが温風の流入面となるように、一対の通風面が冷風通路および温風通路の双方に跨って配置されている。
【０１７３】
第９の観点によれば、調湿装置は、吸着材を移動させる駆動機構を備える。駆動機構は、冷風通路側に位置する吸着材の少なくとも一部を温風通路側に移動させるとともに、温風通路側に位置する吸着材の少なくとも一部を冷風通路側に移動させる構成になっている。
【０１７４】
これによると、冷風通路側にて水分を吸着した吸着材を温風通路側に移動させ、温風通路側にて水分を脱離した吸着材を冷風通路側に移動させることで、除湿風および加湿風を連続的に生成することが可能となる。
【０１７５】
第１０の観点によれば、調湿装置の送風機は、空気の吸込方向および空気の吹出方向が所定の方向に固定された構造になっている。本開示の調湿装置は、空気の吸込方向および空気の吹出方向が所定の方向に固定された送風機であっても、調湿装置における湿度の調整機能を適切に発揮させることができる。
【符号の説明】
【０１７６】
１０      空気調和装置（調湿装置）
１２      ケーシング
１４      送風機
２０      吸着器
２０１    一方の通風面
２０２    他方の通風面
２２      吸着材
３０      経路切替機構（モード切替部）
４０      吸着器変位機構（モード切替部）
【図１】
2019066153.tif 000003
【図２】
2019066153.tif 000004
【図３】
2019066153.tif 000005
【図４】
2019066153.tif 000006
【図５】
2019066153.tif 000007
【図６】
2019066153.tif 000008
【図７】
2019066153.tif 000009
【図８】
2019066153.tif 000010
【図９】
2019066153.tif 000011
【図１０】
2019066153.tif 000012
【図１１】
2019066153.tif 000013
【図１２】
2019066153.tif 000014
【図１３】
2019066153.tif 000015
【図１４】
2019066153.tif 000016
【図１５】
2019066153.tif 000017
【図１６】
2019066153.tif 000018
【図１７】
2019066153.tif 000019
【図１８】
2019066153.tif 000020
【図１９】
2019066153.tif 000021
【図２０】
2019066153.tif 000022
【図２１】
2019066153.tif 000023
【図２２】
2019066153.tif 000024